(57)【要約】【課題】装飾部を簡単に交換することができるという機能を損なうことなく、常時、装飾部が基体部に保持され、しかも、基体部の径（厚み）が大きい場合でも、スマート感が損なわれることがないかんざしを提供する。【解決手段】本考案のかんざしは、纏めた髪に挿し入れ自在な所定長さの基体部１と、基体部の一端に設けられた、この基体部の長手方向に延びるボス部２と、ボス部の内周面に形成されたねじ穴２０に螺合する雄ねじ３０をその先端に有する棒体３１とこの棒体に固定の装飾体３２とからなる装飾部３と、を備える。【選択図】図２
0003163613.tif 000002
【実用新案登録請求の範囲】
【請求項１】
纏めた髪に挿し入れ自在な所定長さの基体部と、
基体部の一端に設けられた、この基体部の長手方向に延びるボス部と、
ボス部の内周面に形成されたねじ穴に螺合する雄ねじをその先端に有する棒体とこの棒体に固定の装飾体とからなる装飾部と、を備えることを特徴とするかんざし。
【請求項２】
前記基体部を、前記基体部の一端から髪への挿し入れ方向に向かって先細りとなる形状を有し、前記基体部のうち比較的大径の端部の径よりも前記ボス部の径を小さく構成したことを特徴とする請求項１記載のかんざし。
【考案の詳細な説明】
【技術分野】
【０００１】
本考案は、纏めた髪に挿し入れて髪を飾るかんざしに関する。
【背景技術】
【０００２】
従来、かんざしは、纏めた髪に挿し入れ自在な基体部を備え、この基体部の長手方向一端寄りの箇所に装飾部を固定して構成されていたが、近年では、嗜好に応じて装飾部を交換可能としたものも知られている（例えば、特許文献１参照）。このものでは、例えば、基体部の長手方向一端寄りの箇所に、その径方向外側に突出させて可撓性の凸部が設けられ、装飾部に、基体部に挿通可能な挿通孔が形成されていると共にこの挿通孔の内面に凹部が設けられている。そして、装飾部の挿通孔を基体部に挿通して凸部と凹部とを係合させることで、基体部に装飾部が着脱自在に装着される。
【０００３】
ところで、基体部としては金属製で中実丸棒からなるものの他、かんざしの装飾性を高めたり、髪への挿し入れ時にかんざしを取り扱い易くするために、その材質を木製やプラスチック製とし、基体部が、髪への挿し入れ方向前方に向かって先細りとなる形状としたものがある。このようなかんざしでは、装飾部が装着される箇所の基体部の径（厚み）が、例えば中実丸棒からなる従来品のものより大きくなっている。このため、装飾部を交換可能とする場合に、上記特許文献１記載の装着方法を適用すると、装飾部に開設する挿通孔の径も上記基体部の径に応じて大きくする必要があり、場合によっては、基体部に外装される装飾部が肉厚となってかんざし本来のスマート感が損なわれる。
【０００４】
また、上記特許文献１記載のものでは、装飾部を着脱する際に凸部を弾性変形させているから、装飾部の交換を繰り返す毎に凸部が消耗していく。このため、耐久性に劣り、しかも、凸部が消耗すると、装飾部が基体部に確実に保持されなくなり、使用時に基体部に対して装飾部が相対移動し、使用者に不快感を与える虞もある。
【先行技術文献】
【特許文献】
【０００５】
【特許文献１】実用新案登録第３１２６０８５号
【考案の概要】
【考案が解決しようとする課題】
【０００６】
本考案は、以上の点に鑑み、装飾部を簡単に交換することができるという機能を損なうことなく、常時、装飾部が基体部に保持され、しかも、基体部の径（厚み）が比較的大きい場合でも、スマート感が損なわれることがないかんざしを提供することをその課題とする。
【課題を解決するための手段】
【０００７】
上記課題を解決するために、本考案に係るかんざしは、纏めた髪に挿し入れ自在な所定長さの基体部と、基体部の一端に設けられた、この基体部の長手方向に延びるボス部と、ボス部の内周面に形成されたねじ穴に螺合する雄ねじをその先端に有する棒体とこの棒体に固定の装飾体とからなる装飾部と、を備えることを特徴とする。
【０００８】
本考案によれば、基体部の一端に基体部の長手方向に延びるボス部を設け、このボス部に、装飾部の棒体を螺着する構造を採用したため、装飾部を簡単に交換することができるという機能を損なうことなく、常時、装飾部が基体部に保持される。しかも、装飾部の交換の際に、所定の部材を弾性変形させるものと比較して消耗が少ないため、耐久性を向上できる。
【０００９】
なお、本考案において、前記基体部を、前記基体部の一端から髪への挿し入れ方向に向かって先細りとなる形状を有し、前記基体部のうち比較的大径の端部の径よりも前記ボス部の径を小さくした構成を採用してもよい。これによれば、基体部の延長線上に、この基体部の径より小径である、装飾体を保持する棒体が延在することで、かんざし本来のスマート感が損なわれることがない。
【図面の簡単な説明】
【００１０】
【図１】本考案の実施形態のかんざしを示す斜視図。
【図２】装飾部の脱離を示す部分拡大図。
【図３】（ａ）及び（ｂ）は、装飾部の交換手順を説明する図。
【考案を実施するための形態】
【００１１】
以下、図面を参照して、本考案の実施形態のかんざしについて説明する。図１及び図２を参照して、かんざしは、使用者の纏めた髪に挿し入れ自在な基体部１と、ボス部２と、装飾部３とから構成される。基体部１は、例えば木製であり、基体部１の一端から髪への挿し入れ方向に向かって先細りとなる形状を有し、１０ｃｍ〜２０ｃｍの範囲内の長さで形成されている。基体部１の輪郭は、特に制限はなく、例えば、円形や多角形（例えば７角形）とすることができ、その表面に、例えば漆塗装を施してもよい。基体部１の材質は、上記に限定されるものではなく、例えば、プラスチック製や真鍮や銅等の金属製としてもよく、その形状も中実丸棒からなるものでもよい。また、基体部の形状は、その先端が例えば二股状に分岐されたものであってもよい。
【００１２】
ボス部２は、基体部１のうち、比較的径の大きい一端に固定された固定具２１に一体に形成されている。固定具２１は、基体部１の一端にその長手方向内側に向けて形成した孔に嵌合する筒状の基部２２と、基部２２の一端に形成された、基体部１の一端に面接触するフランジ部２３とを備える。そして、ボス部２は、基部２２の軸線上でこの基部２２と背向する方向に延びるように形成されている。ボス部２の内面には、ねじ穴２０が形成されている。ここで、ボス部２を含む固定具２１は、真鍮や鉄等の金属製である。また、ボス部２の径は、基体部１の一端の径よりも小さく設定されている。
【００１３】
装飾部３は、ボス部２と同一の金属で形成された棒体３１を備える。棒体３１の一側には、ボス部２のねじ穴２０に螺合する雄ねじ３０が形成され、その他側には、耳掻き部３１ａが形成されている。棒体３１のうち耳掻き部３１ａよりの部分には装飾体３２が設けられている。装飾体３２は、かんざしを飾るものであれば特に制限はなく、例えば、棒体３１に固定される台座３３と、台座３３にて保持された天然石、ガラス３４等とから構成できる。そして、使用者が複数の装飾部３を複数所有しておけば、嗜好に応じて装飾部３を適宜交換することができる。以下、図３（ａ）及び（ｂ）を参照して、装飾部の交換方法を、装飾部３を装飾部３Ａに交換する場合を例として説明する。
【００１４】
ボス部２に対して装飾部３を装着時の方向とは反対の方向に回転させると、図３（ａ）に示すように、装飾部３を取り外すことができる。次に、図３（ｂ）に示すように、台座３３Ａとドーム型の樹脂３４Ａとで構成される装飾体３２Ａが設けられた装飾部３Ａを同一のボス部２に螺着させる。このように、装飾部３から装飾部３Ａに簡単に交換することができる。尚、ボス部２の耐摩耗性を一層向上させるために、ねじ穴２０の表面に耐摩耗性を向上させるための表面処理が施されてもよい（雄ねじ３０についても同様）。また、かんざしの高級感を実現するために、ボス部２の表面に金メッキ処理を施してもよい。
【００１５】
以上説明したように、本実施形態では、基体部１の一端に基体部１の長手方向に延びるボス部２を設け、このボス部２のねじ穴２０に、装飾部３の棒体３１の雄ねじ３０を螺合させる構造を採用したため、装飾部３を簡単に交換することができるという機能を損なうことなく、常時、装飾部３が基体部１に保持される。しかも、装飾部３の交換の際に、従来例のような弾性変形させる部材と比較して螺合部分（ねじ穴２０及び雄ねじ３０）の消耗が少ないため、耐久性を向上できる。このため、使用時に基体部１に対して装飾部３が相対移動せず、使用者に不快感を与えることもない。
【００１６】
また、基体部１が、基体部１の一端から髪への挿し入れ方向に向かって先細りとなる形状を有する場合でも、基体部１の延長線上に、基体部１の端部の径よりも小径の棒体３１が延在し、この棒体３１に装飾体３２を固定するため、かんざし本体のスマート感が損なわれることがない。
【００１７】
なお、本考案は上記実施形態に限定されるものではなく、本考案の趣旨を逸脱しない範囲内で種々変形して実施することができる。例えば、各部の長さ、径は、上記実施形態で例示した値に制限されず、適宜変更することができる。
【符号の説明】
【００１８】
１…基体部、  ２…ボス部、  ３、３Ａ…装飾部、  ２０…ねじ穴、  ３０…雄ねじ、  ３１…棒体、  ３２、３２Ａ…装飾体。
【図１】
0003163613.tif 000003
【図２】
0003163613.tif 000004
【図３】
0003163613.tif 000005